(57)【要約】      （修正有）【課題】ブラシ毛により床面を掃除することが可能であり、且つ掃除布によりブラシ毛をカバーすると、モップとして床面の水分を除去可能であり、そして高所にあるホコリを除去することも可能な多用途掃除用ブラシを提供する。【解決手段】ブラシ本体と、粘着部２２と、掃除布２３と、から構成され、ブラシ本体には、下方に延びるブラシ毛２１１が多数設けられており、ブラシ本体の上面には、ブラシ本体を制御する握りロッド２４が設けられている多用途掃除用ブラシにおいて、ブラシ本体の上面の両側に粘着部２２がそれぞれ設けられており、粘着部２２は、粘着性を有し、粘着部２２により掃除布２３をブラシ本体に固定することが可能であり、掃除布２３は、粘着部２２のうちの一つに一側を粘着して、掃除布２３がブラシ毛２１１をカバーするように、他側を粘着部２２のうちの残りに粘着する。【選択図】図２
0003197706.tif 000002
【実用新案登録請求の範囲】
【請求項１】
ブラシ本体と、粘着部と、掃除布と、から構成され、前記ブラシ本体には、下方に延びるブラシ毛が多数設けられており、前記ブラシ本体の上面には、前記ブラシ本体を制御する握りロッドが設けられている多用途掃除用ブラシにおいて、
前記ブラシ本体の上面の両側に粘着部がそれぞれ設けられており、前記粘着部は、ベルクロを採用し、粘着性を有し、前記粘着部により前記掃除布を前記ブラシ本体に固定することが可能であり、前記掃除布は、前記粘着部のうちの一つに一側を粘着して、前記掃除布が前記ブラシ毛をカバーするように、他側を前記粘着部のうちの残りに粘着することを特徴とする多用途掃除用ブラシ。
【請求項２】
前記掃除布は、ホコリ取り紙、紙ウエス、又は不織布を採用することを特徴とする、請求項１に記載の多用途掃除用ブラシ。
【請求項３】
前記握りロッドは、固定式、又は自在式を採用することを特徴とする、請求項１に記載の多用途掃除用ブラシ。
【考案の詳細な説明】
【技術分野】
【０００１】
本考案は、多用途掃除用ブラシに関し、特に、ブラシ本体に粘着部が設けられており、粘着部により、掃除布をブラシ本体に結合して全体をモップとして利用することが可能な多用途掃除用ブラシに関するものである。
【背景技術】
【０００２】
従来の掃除用ブラシは、図１に示すように、ヘッド１を有し、ヘッド１の中央にジョイント１１が設けられており、ジョイント１１がある角度で傾斜しており、ジョイント１１によりヘッド１にハンドル１０を結合することが可能であり、ヘッド１の下面にブラシ毛１２が多数設けられている。ジョイント１１の傾斜により、ユーザがハンドル１０を握って床面を掃除しているときに、ブラシ毛１２が床面にほぼ垂直する。これにより、掃除用ブラシにより、床面を掃除することが可能である。しかし、床面を掃除しているときには、床面に水を注がないと、床面を清潔に掃除することができない。
【０００３】
また、床面を掃除した後、床面（特に、浴室）が湿ったため、ユーザが滑って倒れる虞があり、そして臭いが生じやすい。この問題を解決するために、通気ファンを起動し、又はモップにより床面の水分を除去することが一般的である。しかし、モップにより床面の水分を除去する場合には、バケツを用意することが必要であり、そしてモップが湿ると床面の水分を確実に除去することができなくなる。
【考案の概要】
【考案が解決しようとする課題】
【０００４】
本考案の主な目的は、ブラシ毛により床面を掃除することが可能であり、且つ掃除布によりブラシ毛をカバーすると、モップとして床面の水分を除去することが可能であり、そして高所にあるホコリを除去することも可能な多用途掃除用ブラシを提供することにある。
【課題を解決するための手段】
【０００５】
本考案の多用途掃除用ブラシによると、ブラシ本体と、粘着部と、掃除布と、から構成され、ブラシ本体には、下方に延びるブラシ毛が多数設けられており、ブラシ本体の上面には、ブラシ本体を制御する握りロッドが設けられている多用途掃除用ブラシにおいて、
ブラシ本体の上面の両側に粘着部がそれぞれ設けられており、粘着部は、ベルクロを採用し、粘着性を有し、粘着部により掃除布をブラシ本体に固定することが可能であり、掃除布は、粘着部のうちの一つに一側を粘着して、掃除布がブラシ毛をカバーするように、他側を粘着部のうちの残りに粘着することを特徴とする。
【０００６】
本考案の多用途掃除用ブラシによると、掃除布は、ホコリ取り紙、紙ウエス、又は不織布を採用することを特徴とする。
【０００７】
本考案の多用途掃除用ブラシによると、握りロッドは、固定式、又は自在式を採用することを特徴とする。
【考案の効果】
【０００８】
本考案の多用途掃除用ブラシによれば、ブラシ毛により床面を掃除することが可能であり、且つ掃除布によりブラシ毛をカバーすると、モップとして床面の水分を除去することが可能であり、そして高所にあるホコリを除去することも可能であるという効果を有する。
【図面の簡単な説明】
【０００９】
【図１】従来の掃除用ブラシを示す斜視図である。
【図２】本考案の実施例を示す分解斜視図である。
【図３】本考案の実施例を示す側面図である。
【図４】本考案の実施例の組付け方法を示す模式図である。
【図５】本考案の実施例に掃除布が取り付けられている状態を示す図である。
【図６】本考案の実施例により壁面を掃除する状態を示す図である。
【図７】本考案の握りロッドの別の実施例を示す図である。
【考案を実施するための最良の形態】
【００１０】
以下、本考案の実施の形態を図面に基づいて説明する。
【００１１】
図２を参照する。図２は本考案の実施例を示す分解斜視図である。本実施例の多用途掃除用ブラシは、ブラシ本体２１と、粘着部２２と、掃除布２３と、から構成される。ブラシ本体２１には、下方に延びるブラシ毛２１１が多数設けられている。ブラシ本体２１の上面には、ブラシ本体２１を制御する握りロッド２４が設けられている。ブラシ本体２１の上面の両側に粘着部２２がそれぞれ設けられている。粘着部２２は、ベルクロを採用し、粘着性を有する。粘着部２２により掃除布２３をブラシ本体２１に固定することが可能である。掃除布２３は、図３に示すように、粘着部２２のうちの一つに一側を粘着して、掃除布２３がブラシ毛２１１をカバーするように、他側を粘着部２２のうちの残りに粘着する。このとき、掃除布２３がブラシ毛２１１をカバーするため、図４に示すように、掃除用ブラシ２をモップとして利用することが可能である。
【００１２】
図４を参照する。掃除用ブラシ２に掃除布２３が取り付けられていないときには、掃除用ブラシ２の底部にブラシ毛２１１が露呈する。このとき、ブラシ毛２１１により、床面にある水及びゴミを掃除することが可能である。ブラシ毛２１１によって掃除した後、床面が湿った状態にある場合には、図５に示すように、ブラシ本体２１の粘着部２２に掃除布２３を粘着すると、掃除布２３により湿った床面を拭くことが可能である。床面を拭いた掃除布２３をブラシ本体２１から取り外して洗浄すると、後の掃除作業に再利用することが可能である。このように、掃除用ブラシ２は、ブラシとして床面を掃除することが可能である他、モップとして床面にある水分及びゴミを除去することが可能であると共に、掃除布２３を洗浄して後の掃除作業に再利用することが可能であるため、利用が極めて便利である。
【００１３】
本実施例の掃除布２３は、ホコリ取り紙、紙ウエス、又は不織布を採用する。掃除布２３はホコリ取り紙を採用する場合には、図５に示すように、床面にあるホコリを粘着することが可能であり、図６に示すように、壁面４にあるホコリを粘着することも可能である。すなわち、本実施例の掃除用ブラシ２によれば、梯子を利用せず、壁面４を掃除することが可能であるため、利用可能の用途が極めて多い。
【００１４】
本実施例では、掃除用ブラシ２は、固定式の握りロッド２４を採用する他、図７に示すように、自在式握りロッド２４１を採用してもよい。自在式握りロッド２４１を採用することにより、自在式握りロッド２４１を前後に旋回することが可能であるため、掃除作業の効率を増加することが可能である。そしてブラシ本体２１に掃除布２３を取り付けると、掃除用ブラシ２をモップとして利用することが可能である。
【産業上の利用可能性】
【００１５】
本考案は、掃除用ブラシに適用することができる。
【符号の説明】
【００１６】
１  ヘッド
２  掃除用ブラシ
４  壁面
１０  ハンドル
１１  ジョイント
１２  ブラシ毛
２１  ブラシ本体
２２  粘着部
２３  掃除布
２４  握りロッド
２１１  ブラシ毛
２４１  自在式握りロッド
【図１】
0003197706.tif 000003
【図２】
0003197706.tif 000004
【図３】
0003197706.tif 000005
【図４】
0003197706.tif 000006
【図５】
0003197706.tif 000007
【図６】
0003197706.tif 000008
【図７】
0003197706.tif 000009
【手続補正書】
【提出日】平成27年4月1日(2015.4.1)
【手続補正１】
【補正対象書類名】実用新案登録請求の範囲
【補正対象項目名】請求項１
【補正方法】変更
【補正の内容】
【請求項１】
ブラシ本体と、粘着部と、掃除布と、から構成され、前記ブラシ本体には、下方に延びるブラシ毛が多数設けられており、前記ブラシ本体の上面には、前記ブラシ本体を制御する握りロッドが設けられている多用途掃除用ブラシにおいて、
前記ブラシ本体の上面の両側に粘着部がそれぞれ設けられており、前記粘着部は、粘着性を有し、前記粘着部により前記掃除布を前記ブラシ本体に固定することが可能であり、前記掃除布は、前記粘着部のうちの一つに一側を粘着して、前記掃除布が前記ブラシ毛をカバーするように、他側を前記粘着部のうちの残りに粘着することを特徴とする多用途掃除用ブラシ。